(57)【要約】【課題】本発明は従来のキーボードにある欠点を解決するためのキーボード構造を提供する。【解決手段】本発明のキーボード構造は、複数のスイッチを有する薄膜回路基板と、各々の接触部が前記薄膜回路基板のそれぞれの前記スイッチに対応している複数の前記接触部を有する少なくとも一つのキーキャップと、複数の孔を有し、各々の前記孔が前記スイッチ及び前記接触部ごとに対応しており、前記孔に沿って前記底板の曲がり目まで緩衝部が形成する底板とを備えている。【選択図】図１
2011044424.tif 000002
【特許請求の範囲】
【請求項１】
複数のスイッチを有する薄膜回路基板と、
複数の接触部を有し、各々の前記接触部が前記薄膜回路基板のそれぞれの前記スイッチに対応している少なくとも一つのキーキャップと、
複数の孔を有し、各々の前記孔が前記スイッチ及び前記接触部ごとに対応しており、前記孔に沿って前記底板の曲がり目まで緩衝部が形成する底板とを備えていることを特徴とするキーボード構造。
【請求項２】
前記薄膜回路基板は、上層回路基板、中層回路基板及び下層回路基板を含んでいることを特徴とする請求項1記載のキーボード構造。
【請求項３】
前記中層回路基板は、貫通孔を有し、
前記上層回路基板の底面と前記下層回路基板の頂面はそれぞれ、前記貫通孔に対応している接点を有し、  ２つの前記接点は、前記薄膜回路基板の前記スイッチを形成するように互いに対応して設けられることを特徴とする請求項2記載のキーボード構造。
【請求項４】
前記下層回路基板は、気孔を有し、
前記気孔の設置箇所は、前記中層回路基板の前記貫通孔に対応し、
前記気孔は、排気と吸気のためのものであることを特徴とする請求項3記載のキーボー
ド構造。
【請求項５】
前記接触部は、柱状体をなし、且つ前記キーキャップの4つのエッジまたは前記キーキ
ャップの底面に水平方向に配置されることを特徴とする請求項1記載のキーボード構造。
【請求項６】
前記接触部は、半円柱状体をなし、且つ前記キーキャップの4つのエッジまたは前記キ
ーキャップの底面に水平方向に配置されることを特徴とする請求項1記載のキーボード構
造。
【請求項７】
前記接触部は、台形柱状体をなし、且つ前記キーキャップの4つのエッジまたは前記キ
ーキャップの底面に水平方向に配置されることを特徴とする請求項4記載のキーボード構
造。
【請求項８】
前記接触部は、円弧体をなし、且つ前記キーキャップの4つのエッジまたは前記キーキ
ャップの底面に水平方向に配置されることを特徴とする請求項1記載のキーボード構造。
【請求項９】
前記緩衝部は、円弧面をなすことを特徴とする請求項1記載のキーボード構造。
【請求項１０】
前記緩衝部は、傾斜面をなすことを特徴とする請求項1記載のキーボード構造。
【請求項１１】
前記緩衝部は、内凹円弧面をなすことを特徴とする請求項1記載のキーボード構造。
【発明の詳細な説明】
【技術分野】
【０００１】
本発明はキーボード構造に関し、特に、キーの操作感度を向上するキーボードに関する。
【背景技術】
【０００２】
一般的には、キーボードは異なる機能を持っているキーを有する。キーとしては、例えば様々な文字を入力するための文字キーや数字キー、特別な機能を入力するためのキー（Tabキー、ShiftキーまたはSpaceキー）等が挙げられる。これらのキーは異なるサイズや
形状を有する。
【０００３】
しかし、キーボードの使用時に、キー打ちを有効にするために、すべてのキーのキーキャップの中心部を押す必要がある。キーキャップを押す箇所が4つのエッジに近づくと、
キーキャップの弾性接触部がスイッチに正しく接触しないため、キー打ちが無効になる。特に、長いほうの特殊なキーは、キー打ちの無効が頻繁に発生する。
【０００４】
又、最近の電子製品が更なる小型化されたため、使われる入力デバイスは、その面積が減少する傾向があり、且つ薄型になるに伴って、そのキーを押す行程（ストローク）が小さくなる。使用者が速くキーを押すと、キー打ちが無効になりやすく、対応する信号が出力できないことがあり、使用者を不便にさせていた。
【０００５】
上述のキーの操作感度の問題を解決するために、従来のキーボード200が知られている
。図8Aと8Bを参照して下さい。キーボード200は、薄膜回路基板40、キーキャップ50及び
底板60を含んでいる。薄膜回路基板40は、底板60の上に配置され、且つ複数のスイッチ41を有する。キーキャップ50は、薄膜回路基板40の上に配置され、キーキャップ50の底面に複数の柱状体51が垂直に配置される。底板60には、柱状体51に対応する位置に孔61が配置される。
【０００６】
使用者がキーキャップ50のエッジを押すと、キーキャップ50の底面に位置する柱状体51が薄膜回路基板40に押し下げられ、薄膜回路基板40のスイッチ41を導通させて、対応する信号を出力する。
【０００７】
しかし、キーキャップ50の底面に位置する柱状体51がキーキャップ50の底面に垂直に配置されるため、柱状体51と薄膜回路基板40との接触面積が小さい。このため、薄膜回路基板40は、頻繁に圧力を集中的に受けると、壊れ易くなる。
【０００８】
又、従来の底板60と孔61との曲がり目が直角になっているため、薄膜回路基板40が柱状体51により押されると、薄膜回路基板40が曲がり目の直角に沿って底板60の孔61で反るため、薄膜回路基板40に細い筋目が形成され、薄膜回路基板40が壊れ易くなる。
【０００９】
したがって、薄膜回路基板が頻繁に圧力を受けて壊れやすいという問題を改善することは、業界が早急に解決すべき問題になっている。
【発明の概要】
【発明が解決しようとする課題】
【００１０】
したがって、本発明はこのような従来の技術にある欠点を解決するために、実験と研究を重ねた結果を通じて、ついに本発明のキーボード構造を提出する。本発明の主な目的は、キーの操作感度を向上するキーボードを提供することにある。本発明のもう一つの目的
は、薄膜回路基板を押す接触部と薄膜回路基板との接触面積を増加させるキーボードを提供することにある。
【課題を解決するための手段】
【００１１】
上述の目的を達成するために、本発明のキーボード構造は、複数のスイッチを有する薄膜回路基板と、複数の接触部を有し、各々の前記接触部が前記薄膜回路基板のそれぞれの前記スイッチに対応している少なくとも一つのキーキャップと、複数の孔を有し、各々の前記孔が前記スイッチ及び前記接触部ごとに対応しており、前記孔に沿って前記底板の曲がり目まで緩衝部が形成する底板とを備えていることを特徴とするキーボード構造を提供する。。
【００１２】
上記構成の本発明に係るキーボード構造において、前記薄膜回路基板は、上層回路基板、中層回路基板及び下層回路基板を含んでいる。
上記構成の本発明に係るキーボード構造において、前記中層回路基板は、貫通孔を有し、前記上層回路基板の底面と前記下層回路基板の頂面はそれぞれ、前記貫通孔に対応している接点を有し、2つの前記接点は、前記薄膜回路基板の前記スイッチを形成するように
互いに対応して設けられる。
【００１３】
上記構成の本発明に係るキーボード構造において、前記下層回路基板は、気孔を有し、前記気孔の設置箇所は、前記中層回路基板の前記貫通孔に対応し、前記気孔は、排気と吸気のためのものである。
【００１４】
上記構成の本発明に係るキーボード構造において、前記接触部は、柱状体をなし、且つ前記キーキャップの4つのエッジまたは前記キーキャップの底面に水平方向に配置される
。
【００１５】
上記構成の本発明に係るキーボード構造において、前記接触部は、半円柱状体をなし、且つ前記キーキャップの4つのエッジまたは前記キーキャップの底面に水平方向に配置さ
れる。
【００１６】
上記構成の本発明に係るキーボード構造において、前記接触部は、台形柱状体をなし、且つ前記キーキャップの4つのエッジまたは前記キーキャップの底面に水平方向に配置さ
れる。
【００１７】
上記構成の本発明に係るキーボード構造において、前記接触部は、円弧体をなし、且つ前記キーキャップの4つのエッジまたは前記キーキャップの底面に水平方向に配置される
。
【００１８】
上記構成の本発明に係るキーボード構造において、前記緩衝部は円弧面をなす。
上記構成の本発明に係るキーボード構造において、前記緩衝部は傾斜面をなす。
上記構成の本発明に係るキーボード構造において、前記緩衝部は内凹円弧面をなす。
【発明の効果】
【００１９】
本発明のキーボードは、水平方向に配置される柱状体をなす接触部により、薄膜回路基板と接触部との接触面積が増加する。薄膜回路基板が接触部により押されると、受力面積が大きいので、接触部からの圧力を頻繁に受けても、薄膜回路基板は壊れにくい。また、底板の孔にある緩衝部により、薄膜回路基板が接触部により押されると、薄膜回路基板が緩衝部に沿って底板の孔で反り、前記緩衝部がバッファとして機能する。その結果、薄膜回路基板には細い筋目が形成されないので、薄膜回路基板の耐久性を向上させることができる。
【図面の簡単な説明】
【００２０】
【図１】本発明の実施例によるキーボードを示す断面図である。
【図２】本発明の実施例によるキーボードのキーキャップの底面を示す斜視図である。
【図３】本発明の実施例によるキーボードの作動を示す断面図である。
【図４Ａ】本発明の実施例によるキーボードの接触部を示す一部の斜視拡大図である。
【図４Ｂ】本発明のもう一つの実施例によるキーボードの接触部を示す一部の斜視拡大図である。
【図５Ａ】本発明のもう一つの実施例によるキーボードを示す断面拡大図である。
【図５Ｂ】本発明の更にもう一つの実施例によるキーボードを示す断面拡大図である。
【図６】本発明のもう一つの実施例によるキーボードのキーキャップの底面を示す斜視図である。
【図７】本発明の更にもう一つの実施例によるキーボードを示す断面拡大図である。
【図８Ａ】従来のキーボードを示す断面図である。
【図８Ｂ】従来のキーボードの作動を示す断面図である。
【図８Ｃ】従来のキーボードのキーキャップを示す部分斜視拡大図である。
【発明を実施するための形態】
【００２１】
以下のように、本発明を実施例に基づいて詳述するが、あくまでも例示であって、本発明の範囲はこれらの実施形態に限定されない。本発明の範囲は、特許請求の範囲に記載されており、さらに特許請求の範囲の記載と均等な意味及び範囲内での全ての変更を含んでいる。
【００２２】
図1を参照して下さい。図1は、本発明の実施例によるキーボード構造を示す断面図である。この図面で本願の特徴を説明するため、図面を簡素化しており、本発明の実施例によるキーボード構造の一部要素のみを示し、例えば、ハサミフレーム、導光板、遮光板及び支持板等のそのほかの要素を省略している。本発明の実施例によるキーボード100は、複
数のスイッチ15を有する薄膜回路基板10と、薄膜回路基板10の上に配置され、複数の接触部21を有し、各接触部21が薄膜回路基板10の異なるスイッチ15ごとに対応する少なくとも一つのキーキャップ20と、複数の孔31を有し、各孔31が薄膜回路基板10のスイッチ15及びキーキャップ20の接触部21ごとに対応しており、孔31に沿って底板30の曲がり目まで緩衝部32が形成する底板30とを含んでいる。
【００２３】
薄膜回路基板10は、上層回路基板11、中層回路基板12及び下層回路基板13を含んでいるものである。中層回路基板12は、貫通孔14を有し、上層回路基板11の底面と下層回路基板13の頂面はそれぞれの、貫通孔14に対応する2つの接点を有し、2つの前記接点は、薄膜回路基板10のスイッチ15を形成するように互いに対応して設けられる。使用者がキーキャップ20を押すと、接触部21によって上層回路基板11が押され、上層回路基板11の接点が下層回路基板13の接点に接触して、2つの前記接点を接続することにより、スイッチ15を導通
させて、対応する信号を出力する。
【００２４】
図1に加え図2を参照して下さい。図2は、本発明の実施例によるキーボードのキーキャ
ップの底面を示す斜視図である。前述の接触部21は、柱状体をなし、且つ前記キーキャップ20の4つのエッジに水平方向に配置されるものである。水平方向に配置される柱状体を
なす接触部21によって薄膜回路基板10と接触部21との接触面積が増加する。薄膜回路基板10が接触部21により押されると、受力面積が大きいので、接触部21からの圧力を頻繁に受けても、薄膜回路基板10は壊れにくい。本発明の実施例において、接触部21は半円柱状体
をなしている。
【００２５】
前述の底板30に孔31を打ち抜いて形成することにより、緩衝部32を円弧面状に形成させる。薄膜回路基板10が接触部21により押されると、薄膜回路基板10が円弧面に沿って底板30の孔31で反り、前記円弧面をなす接触部32がバッファとして機能する。薄膜回路基板10には、細い筋目が形成されないので、薄膜回路基板10を壊す問題を改善できる。
【００２６】
図3を参照して下さい。図3は、本発明の実施例によるキーボードの作動を示す断面図である。使用者がキーキャップ20のエッジを押すと、キーキャップ20のエッジに位置する柱状体をなす接触部21が薄膜回路基板10により押し下げられる。水平方向に配置される柱状体をなす接触部21により、薄膜回路基板10と接触部21との接触面積が増加する。上層回路基板11の接点が下層回路基板13の接点に接触して、2つの前記接点を接続することにより
、スイッチ15を導通させて、対応する信号を出力する。薄膜回路基板10が接触部21により押されると、薄膜回路基板10が円弧面をなす緩衝部32に沿って底板30の孔31で反るため、圧力を取り去るまで、薄膜回路基板10には、平坦な曲面が形成され、細い筋目が形成されない。
【００２７】
図4Aと図4Bを参照して下さい。図4Aと図4Bは、本発明の他の実施例によるキーボードの接触部を示す部分斜視図である。図4Aに示すように、接触部22は、台形柱状体をなし、且つ前記キーキャップの4つのエッジに水平方向に配置されるものである。図4Bに示すよう
に、接触部23は、円弧体をなし、且つ前記キーキャップの4つのエッジに水平方向に配置
されるものである。前記円弧体の弧面はより大きい幅を有するため、薄膜回路基板10を押すとき、薄膜回路基板10と接触部との接触面積が増加するので、薄膜回路基板10には、細い筋目が形成されない。
【００２８】
図5Aを参照して下さい。図5Aは、本発明のもう一つの実施例によるキーボードを示す断面拡大図である。この実施例にあるキーボード100は、図1の実施例とほぼ同じような構造を示し、違いは底板30の緩衝部33が傾斜面をなしていることのみにある。薄膜回路基板10が接触部21により押されると、薄膜回路基板10が傾斜面をなす緩衝部33に沿って底板30の孔31で反り、前記傾斜面をなす緩衝部33がバッファとして機能する。薄膜回路基板10には、細い筋目が形成されないので、薄膜回路基板10を壊す問題を改善できる。
【００２９】
図5Bを参照して下さい。図5Bは、本発明の更にもう一つの実施例によるキーボードを示す断面拡大図である。この実施例にあるキーボード100は、図1の実施例とほぼ同じような構造を示し、違いは底板30の緩衝部34が内凹円弧面をなしていることのみにある。薄膜回路基板10が接触部21により押されると、薄膜回路基板10が内凹円弧面をなす緩衝部34に沿って底板30の孔31で反り、前記内凹円弧面をなす緩衝部34がバッファとして機能する。薄膜回路基板10には、細い筋目が形成されなく、薄膜回路基板10を壊す問題を改善できる。
【００３０】
図6を参照して下さい。図6は、本発明のもう一つの実施例によるキーボードのキーキャップの底面を示す斜視図である。この実施例において、接触部24がキーキャップ20の底面に水平方向に配置されても良い。接触部24と薄膜回路基板10との接触面が円弧面をなしているから、接触部24と薄膜回路基板10との接触面積が増加する。薄膜回路基板10が接触部24により押されると、受力面積が大きくので、接触部21からの圧力を頻繁に受けても、薄膜回路基板10は壊れにくい。
【００３１】
図7を参照して下さい。図7は、本発明の更にもう一つの実施例によるキーボードを示す断面拡大図である。この実施例には、図1の実施例とほぼ同じような構造を示し、違いは
薄膜回路基板10の下層回路基板13に気孔16があることのみにある。気孔16の設置箇所は、中層回路基板12の貫通孔14に対応する。気孔16は、排気と吸気のためのものである。キー
キャップ20によって薄膜回路基板10が押されると、薄膜回路基板10内の空気は気孔16を介して排出する。薄膜回路基板10に作用する圧力を取り去ると、空気は気孔16を介して吸入され、薄膜回路基板10が元の位置へ戻る。
【００３２】
前述をまめると、本発明のキーボードは、水平方向に配置される柱状体をなす接触部により、薄膜回路基板と接触部との接触面積が増加する。薄膜回路基板が接触部により押されると、受力面積が大きいので、接触部からの圧力を頻繁に受けても、薄膜回路基板は壊れにくい。また、底板の孔にある緩衝部により、薄膜回路基板が接触部により押されると、薄膜回路基板が緩衝部に沿って底板の孔で反り、前記緩衝部がバッファとして機能する。その結果、薄膜回路基板には、細い筋目が形成されないので、薄膜回路基板の耐久性を向上させることができる。
【００３３】
以上説明した内容を通して、当業者であれば本発明の技術思想を逸脱しない範囲で、多様な変更及び修正が可能であることが分かる。従って、本発明の技術的な範囲は、明細書の詳細な説明に記載された内容に限らず、特許請求の範囲によって定めなければならない。例えば、本発明の接触部はキーキャップの4つのエッジに設けられるのに限らず、キー
キャップの底面に設けられてもよい。
【符号の説明】
【００３４】
100キーボード
10薄膜回路基板
11上層回路基板
12中層回路基板
13下層回路基板
14貫通孔
15スイッチ
16気孔
20キーキャップ
21半円柱状体をなす接触部
22台形柱状体をなす接触部
23円弧体をなす接触部
24円弧面を有する接触部
30底板
31孔
32円弧面をなす緩衝部
33傾斜面をなす緩衝部
34内凹円弧面をなす緩衝部
【図１】
2011044424.tif 000003
【図２】
2011044424.tif 000004
【図３】
2011044424.tif 000005
【図４Ａ】
2011044424.tif 000006
【図４Ｂ】
2011044424.tif 000007
【図５Ａ】
2011044424.tif 000008
【図５Ｂ】
2011044424.tif 000009
【図６】
2011044424.tif 000010
【図７】
2011044424.tif 000011
【図８Ａ】
2011044424.tif 000012
【図８Ｂ】
2011044424.tif 000013
【図８Ｃ】
2011044424.tif 000014